(57)【要約】【課題】継合構造を有する釣竿において、小径竿杆と大径竿杆を挿脱操作する際に、鳴きが生じ難く、継合状態が緩み難い釣竿を提供する。【解決手段】本発明の釣竿は、小径竿杆１０の嵌合孔１０ａに、大径竿杆１の挿入杆１Ａを嵌合する継合部５を有する構成において、挿入杆１Ａの先端に溝１Ｃを形成し、溝内に挿入杆よりも軟らかい充填部材２０を配したことを特徴とする。【選択図】  図２
2011172518.tif 000002
【特許請求の範囲】
【請求項１】
一方の竿杆の嵌合孔に他方の竿杆の挿入杆を嵌合する継合部を有する釣竿において、
前記挿入杆の先端に溝を形成し、前記溝内に前記挿入杆よりも軟らかい充填部材を配したことを特徴とする釣竿。
【請求項２】
前記挿入杆の先端部側は、挿入杆の挿入中間部よりも太径に形成されていることを特徴とする請求項１に記載の釣竿。
【請求項３】
前記充填部材は、挿入杆の周面から突出しないように配したことを特徴とする請求項１又は２に記載の釣竿。
【請求項４】
前記挿入杆は中空部を有しており、前記充填部材は溝と共に中空部内に配されていることを特徴とする請求項１に記載の釣竿。
【発明の詳細な説明】
【技術分野】
【０００１】
本発明は、複数本の竿杆を継合した釣竿に関する。
【背景技術】
【０００２】
通常、釣竿には、振り出し式のものと並継や印籠継などの継式のものが知られており、例えば、後者の並継式の釣竿は、小径竿杆の基端を大径竿杆の先端に圧入することで、竿杆同士が継合されるようになっている。このような並継式の釣竿では、竿杆同士の抜けやガタ付き等が抑制できるように、小径竿杆の基端側に溝やスリット（以下、溝と称する）を形成することが知られている。また、例えば、特許文献１には、そのような溝が形成されている部分の径を拡径するように、ゴムのような弾性変形可能な栓体を嵌合することが知られており、このような弾性変形可能な栓体を圧入しておくことで、より効果的に継合部分の抜けやガタ付きを防止することが可能となる。
【先行技術文献】
【特許文献】
【０００３】
【特許文献１】特開平１０−２９０６４８号
【発明の概要】
【発明が解決しようとする課題】
【０００４】
ところで、上記した特許文献１に開示されているような並継構造の釣竿では、釣り人が先側の小径竿杆を元側の大径竿杆に挿脱する際、両竿杆を相対的に回転しながら（ひねりながら）操作を行うことがある。そして、このような挿脱操作を行うに際し、上記したような溝が形成されていると、溝を規定している部分（周方向において溝がない部分）が周方向に変位し易くなり、鳴きが生じ易くなる。また、溝を規定している部分のエッジが周方向に変位することで、嵌合している孔の内周面に傷を付けるおそれがあり、このような傷が生じることで、継合部における嵌合状態が次第に緩む可能性が生じる。
【０００５】
本発明は、上記した問題に着目してなされたものであり、継合構造を有する釣竿において、継合状態が緩み難く、竿杆と竿杆を挿脱操作する際に、継合部の傷付きを防止した釣竿を提供することを目的とする。
【課題を解決するための手段】
【０００６】
上記した目的を達成するために、本発明は、一方の竿杆の嵌合孔に他方の竿杆の挿入杆を嵌合する継合部を有する釣竿において、前記挿入杆の先端に溝を形成し、前記溝内に前記挿入杆よりも軟らかい充填部材を配したことを特徴とする。
【０００７】
上記した構成の釣竿では、一方の竿杆と他方の竿杆を継合するに際し、挿入する側の竿杆（一方の竿杆；挿入杆）に溝を形成し、溝内には、挿入杆よりも軟らかい充填部材が配されたことで、溝を形成した部分が拡径／縮径し易くなり、継合部における継合状態が緩み難くなる。この場合、両竿杆を挿脱操作する際に、挿入杆が周方向にひねられても、溝が形成されていない部分は、溝に配された充填部材によって周方向に変位し難くなり、これにより、鳴きが生じることが抑制されると共に、嵌合孔の内周面に傷などが付くことが抑制され継合状態が緩くなることが防止される。
【発明の効果】
【０００８】
本発明によれば、継合構造を有する釣竿において、継合状態の緩みを防止し、竿杆と竿杆を挿脱操作する際に継合部の傷付きを防止した釣竿が得られる。
【図面の簡単な説明】
【０００９】
【図１】本発明に係る釣竿の第１の実施形態を示す図。
【図２】図１に示す釣竿の継合部分を拡大した縦断面図。
【図３】図２のＡ−Ａ線に沿った断面図。
【図４】挿入杆部分を示す斜視図。
【図５】充填部材の変形例を示す断面図。
【図６】本発明に係る釣竿の第２の実施形態を示す図であり、継合部分を拡大した縦断面図。
【図７】図６のＢ−Ｂ線に沿った断面図。
【図８】挿入杆部分を示す斜視図。
【発明を実施するための形態】
【００１０】
以下、本発明に係る釣竿の実施形態について説明する。  
図１から図４は、本発明に係る釣竿の第１の実施形態を示す図であり、図１は、釣竿の全体構成を示す図、図２は、図１に示す釣竿の継合部分を拡大した縦断面図、図３は、図２のＡ−Ａ線に沿った断面図、そして、図４は、挿入杆部分を示す斜視図である。
【００１１】
本実施形態の釣竿Ｒは、元竿（大径竿杆）１と先竿（小径竿杆）１０の２本継ぎとして構成されており、元竿１の基端部には、公知のように、握持、保持されるハンドル２と、リール５０を着脱可能にするリールシート（リール取付部）３が設けられている。また、元竿１と先竿１０の外周面には、複数の釣糸ガイド７が軸方向に沿って設けられており、リールシート３に装着されたリール５０から繰り出される釣糸を案内するようになっている。なお、元竿１と先竿１０だけでなく、さらに多くの竿杆を有していても良く、２本継ぎより継ぎ数が多くても良い。
【００１２】
前記元竿１と先竿１０とは、継合部５の部分で挿脱されるようになっており、継合部５は、一方の竿杆（ここでは先竿１０となる）の嵌合孔１０ａに、他方の竿杆となる挿入杆（ここでは元竿１となる）を嵌合する構成となっている。この場合、本実施形態における継合部５の構造は、印籠継構造とされていることから、挿入杆は、元竿１の先端に固定された印籠部分（ソリッド状に形成されている）となる。以下、この印籠部分を、元竿１と一体化される挿入杆１Ａとする。
【００１３】
前記釣竿Ｒを構成する各竿杆１，１０は、炭素繊維やガラス繊維などの強化繊維に合成樹脂を含浸させたプリプレグシートを公知の手法によって管状にして構成されている。本実施形態の先竿１０には、その元竿側に上記した嵌合孔１０ａが形成されており、元竿１には、その先竿側に前記嵌合孔１０ａに嵌合可能となる上記した挿入杆（印籠）１Ａが突出した状態で挿入、固定されている。
【００１４】
前記元竿１は、挿入杆１Ａと同様、ソリッド状に構成されていても良いし、元竿に挿入杆１Ａが一体に形成されていても良く、また、部分的にソリッド状に構成されていても良い。また、前記先竿１０についても、穂先１０ｂ側がソリッド状に構成されていても良い。さらに、前記先竿１０に形成された嵌合孔１０ａは、その内周面が軸方向に沿ってストレート状に構成されていても良いし、先端に移行するに連れて次第に縮径するテーパ状に構成されていても良い。
【００１５】
前記嵌合孔１０ａに嵌入される挿入杆１Ａは、元竿１に固定される部分を有する基端部１ａと、嵌合孔１０ａに嵌合される部分となる先端部１ｂが太径に形成されており、その中間部（嵌合孔１０ａに嵌合されている）１ｃが、基端部１ａ及び先端部１ｂよりも細径に形成されている。
【００１６】
前記先端部１ｂには、先端面１Ｂの周縁に挿入杆１Ａが先細りになるように傾斜面１ｄが形成されると共に、細径となる中間部１ｃ側に向けて傾斜面１ｅが形成されている。また、前記基端部１ａには、細径となる中間部１ｃ側に向けて傾斜面１ｆが形成されている。
【００１７】
上記した構成において、挿入杆１Ａを嵌合孔１０ａに差し込むと、図２に示すように、先端部１ｂの外周面が嵌合孔１０ａの内周面に当たった状態で嵌合し抜け止めされる。具体的には、挿入杆１Ａが嵌合孔１０ａに嵌合された状態では、太径の先端部１ｂが嵌合孔１０ａの奥側に、基端部１ａの中間部側に向かう傾斜面１ｆが嵌合孔１０ａの開口縁１０ｃにそれぞれ当て付き、中間部１ｃについては、嵌合孔１０ａの内面に対し僅かな隙間をもって配される。この場合、中間部１ｃは、先端部１ｂや基端部１ａに比べ嵌合孔１０ａの内面に軽く当たった状態であっても良い。
【００１８】
前記挿入杆１Ａには、先端側に溝１Ｃが形成されている。本実施形態の溝１Ｃは、先端面１Ｂの中心を通る位置で径方向に沿ってこれを横切って形成されると共に、先端面１Ｂから基端部１ａ側に向かって形成され、長手方向に太径の先端部１ｂと同じ長さ（深さ）を有し、そのまま周面側に開口する割り溝状に形成され、挿入杆１Ａの溝１Ｃで分割された溝１Ｃ以外の突片状部分（符号１Ｄで示す部分）は、径方向に弾性変形しやすくなっている。
【００１９】
そして、上記のように形成された溝１Ｃ内には、挿入杆１Ａよりも軟らかい材料の充填部材２０が配されている。具体的に、充填部材２０は、挿入杆１Ａが、炭素繊維などの繊維強化樹脂によって構成されたものであれば、それよりも軟質な素材、例えば、ポリアミド、ＡＢＳ樹脂、ポリウレタン等の合成樹脂によって形成したり、合成ゴム、エラストマー等によって形成することが可能である。
【００２０】
なお、上記した充填部材２０の溝１Ｃに対する配設方法は、挿入杆１Ａに形成された溝１Ｃに材料を流し込んで形成しても良いし、溝１Ｃの形状に対応して成形した部材を嵌め込み、接着剤などで固定しても良い。
【００２１】
以上のように構成された釣竿において、元竿１に対して先竿１０を継合する際、継合部５では以下のような作用が得られる。  
先竿１０の嵌合孔１０ａに挿入杆１Ａを差し込むと、まず、挿入杆１Ａの先端の傾斜面１ｄが嵌合孔１０ａの開口縁１０ｃに当たって先端部１ｂが嵌合孔１０ａ内にスムーズに案内される。さらに挿入杆１Ａを内部に向けて差し込んで行くと、挿入杆１Ａの先端部１ｂは、先竿１０の嵌合孔１０ａの内面に接触し外周側から押圧される。このとき、溝１Ｃが閉じるようになって充填部材２０が圧縮されながら縮径された状態で差し込まれて行く。そして、基端部１ａの傾斜面１ｆが嵌合孔１０ａの開口縁１０ｃに当接して両者の嵌合が完了する。
【００２２】
上記した挿入操作では、挿入杆１Ａの溝１Ｃが狭くなるように周囲が押圧されることとなるが、溝１Ｃ内に充填された充填部材２０の弾性によって、挿入杆１Ａは、図３の矢印に示すように、溝１Ｃが広げられるように押圧した状態となるため、挿入杆１Ａの先端部１ｂの外周面と嵌合孔１０ａの内周面との接触状態（または押圧状態）が維持される。したがって、先竿１０は元竿１に対して挿入杆１Ａの先端部１ｂ側と基端部１ａ側で支持されるため、継合部５の領域において、両竿杆の間で緩みやガタ付き等が生じ難くなる。
【００２３】
また、前記溝１Ｃ内に、挿入杆１Ａよりも軟らかい充填部材２０を配したことで、両竿杆１，１０を挿脱操作する際に挿入杆１Ａが周方向に相対的にひねられても、挿入杆１Ａの溝１Ｃが形成されていない部分（図３において符号１Ｄで示す突片状の部分）は、溝１Ｃの充填部材２０によって動きが規制され、ひねられた方向（周方向）に変位し難くなる。このため、嵌合面において鳴きが生じることが抑制され、さらには、溝１Ｃが形成されていない部分のエッジ１Ｅによって、嵌合孔１０ａの内周面に擦り傷のような傷などが付くことも抑制されため、挿脱操作を繰り返しても両者の継合状態が緩むことが防止される。
【００２４】
また、本実施形態では、挿入杆１Ａの先端部側は、挿入杆の中間部１ｃよりも太径に形成されているため、嵌合孔１０ａの内周面との間で確実な嵌合関係を維持することが可能となり、両者の緩みを確実に防止することが可能となる。また、前記中間部１ｃは、嵌合孔１０ａの内面に対して隙間が生じる程度に形成したことから、挿入杆１Ａの軸方向に沿う挿脱時において、負荷が軽減されると共に、軸方向に沿って固着するようなことがなくなり、安定した挿脱操作を行えるようになる。
【００２５】
なお、上記した溝１Ｃ内に配される充填部材２０に関しては、先端部１ｂの外周面に対して、面一状になることが望ましいが、溝１Ｃ内に充填部材２０ａが配されていれば溝１Ｃ内を満たすようになっていなくても良く、図５に示すように、充填部材２０ａは、挿入杆１Ａの周面から突出しないように、すなわち、溝１Ｃからはみ出さないように、少し窪ませて充填しても良い。
このような充填状態にすることで、溝１Ｃから充填部材２０がはみ出て嵌合孔１０ａの内周面に接して固着することを確実に防止することができ、安定した継合操作を行えるようになる。
【００２６】
次に、本発明の第２の実施形態について説明する。  
本発明は、上記したような印籠継構造の釣竿以外にも、図６から図８に示すような並継式の釣竿に適用することが可能である。これらの図において、図６は、継合部分を拡大した縦断面図、図７は、図６のＢ−Ｂ線に沿った断面図、そして、図８は、挿入杆部分を示す斜視図である。なお、釣竿全体の構成については、上述した第１の実施形態のように構成することが可能であるため、詳細な構造については省略する。
【００２７】
この実施形態では、元竿３０及び先竿４０は、共に中空状に構成されており、元竿３０の先端側に嵌合孔３０ａを形成し、先竿４０の基端側に挿入部４０ａを形成している。このため、挿入部４０ａが挿入杆であって挿入部４０ａを有する先竿４０が、挿入杆（中空部４０ｂを有する挿入杆）を一体に有していることとなる。
【００２８】
先竿４０の挿入部（杆）４０ａは、外周面が研磨されており、上述した実施形態の印籠継と同様に、基端部４０ｃ、中間部４０ｄ及び先端部４０ｅが形成されている。また、先端部４０ｅの先端側には、傾斜面４０ｈが形成されると共に、細径となる中間部４０ｄ側に向けて傾斜面４０ｆが形成されている。また、前記基端部４０ｃには、細径となる中間部４０ｄ側に向けて傾斜面４０ｇが形成されている。
【００２９】
本実施形態では、挿入部（杆）４０ａの先端領域を４分割するように十字状に溝４０Ｃが形成されており、中空部４０ｂと溝４０Ｃの形状に併せて成形された充填部材２０ｂを嵌め込み、接着している。  
溝４０Ｃは、挿入部（杆）４０ａの先端部４０ｅから基端部４０ｃに向かう割り溝で、外周面から中空部４０ｂに通じている。
【００３０】
このような並継式の釣竿においても、上記した実施形態と同様な作用効果を得ることが可能となる。すなわち、溝４０Ｃ内に、挿入部４０ａよりも軟らかい充填部材２０ｂを配したことで、両竿杆３０，４０を挿脱操作する際に、挿入部４０ａが周方向に相対的にひねられても、溝４０Ｃが形成されていない部分（図７において、符号４０Ｄで示す部分）は、上記した実施形態と同様、ひねられた方向（周方向）に変位し難くなる。このため、嵌合面において鳴きが生じることが抑制され、さらには、溝４０Ｃが形成されていない部分のエッジ４０Ｅによって、嵌合孔３０ａの内周面に擦り傷のような傷などが付くことが抑制されため、両者の継合状態が緩むことが防止される。  
なお、本実施形態の構成では、溝４０Ｃの部分のみに充填部材２０ｂを配しても良い。
【００３１】
以上、本発明の実施形態について説明したが、本発明は、上記した実施形態の構成に限定されることはなく、種々変形することが可能である。
【００３２】
本発明に係る釣竿は、渓流竿のようにリールを装着しない釣竿にも適用することが可能であり、釣竿を構成する竿節数についても適宜変更することが可能である。また、挿入杆に形成される溝の形状、本数などについても適宜変形することが可能であり、形成される溝内に充填部材を充填する方法についても、適宜、変形することが可能である。
【符号の説明】
【００３３】
１，３０  元竿（大径竿杆）
１Ａ  挿入杆（印籠）
１Ｃ，４０Ｃ  溝
５  継合部
１０，４０  先竿（小径竿杆）
１０ａ，３０ａ  嵌合孔
２０，２０ａ，２０ｂ  充填部材
４０ａ  挿入部（挿入杆）
Ｒ  釣竿
【図１】
2011172518.tif 000003
【図２】
2011172518.tif 000004
【図３】
2011172518.tif 000005
【図４】
2011172518.tif 000006
【図５】
2011172518.tif 000007
【図６】
2011172518.tif 000008
【図７】
2011172518.tif 000009
【図８】
2011172518.tif 000010